(57)【要約】【課題】  格段と容易に且つ確実に対象物を留めることができる留め具を提供する。【解決手段】  洗濯物留め具１は、例えば、断面が略円形でなる棒状金属部材の略中心を折り曲げて形成しその両先端部分２Ａ、２Ｂが互いに近接するように両先端部分２Ａ、２Ｂを内側方向に付勢する付勢部２と、この付勢部２の一端部分２Ａから内側方向に膨らむように湾曲した後その下端部３Ａからさらに外側方向に膨らむように湾曲させて棒状金属部材を略円環に形成することにより内外方向に湾曲してなる内外方向環状部３と、この付勢部２の他端部分２Ｂから前方向に膨らむように湾曲した後その下端部４Ａからさらに後方向に膨らむように湾曲させて棒状金属部材を内外方向環状部３よりも大きい略円環に形成することにより前後方向に湾曲してなる前後方向環状部４とを有する。【選択図】図１
2007289607.tif 000002
【特許請求の範囲】
【請求項１】
両先端部分が互いに近接するように上記両先端部分を内側方向に付勢する付勢部と、
上記付勢部の一端部分から内側方向に膨らむように湾曲してなる内方向湾曲部と、
上記付勢部の他端部分に設けられ、上記付勢部によって内側方向に付勢された上記内方向湾曲部が入り込む空間を形成する空間形成部と
を具えることを特徴とする留め具。
【請求項２】
両先端部分が互いに近接するように上記両先端部分を内側方向に付勢する付勢部と、
上記付勢部の一端部分から内側方向及び外側方向に延長するようにして略環状に形成されてなる内外方向環状部と、
上記付勢部の他端部分から前方向及び後方向に延長するようにして上記内外方向環状部よりも大きな略環状に形成されてなる前後方向環状部と
を具えることを特徴とする留め具。
【発明の詳細な説明】
【技術分野】
【０００１】  本発明は留め具に関し、例えば、洗濯物（タオルやシャツ等の衣類やふとんや毛布等の寝具）をハンガーや物干し竿に留めるための洗濯物留め具に適用して好適なものである。
【背景技術】
【０００２】  従来洗濯物留め具として、いわゆる洗濯バサミが広く知られている。この種の洗濯物留め具は、例えば、ハサミと同じようにして連結された２つの板状部材と、この２つの板状部材の先端部分を接触させるように付勢する金属リングとで構成されている（例えば、特許文献１参照）。【０００３】
【特許文献１】  特開２００６−８７８６６号公報
【発明の開示】
【発明が解決しようとする課題】
【０００４】  従って、かかる構成の洗濯物留め具を用いて洗濯物をハンガー等に留める場合、ユーザは、２つの板状部材の後端部分を金属リングの付勢力に勝る力でつまむことにより、接触している先端部分を引き離す必要がある。【０００５】  しかしながら、けが等で指がしびれているユーザや力が入らないユーザにとっては、指に力が入らずつまむ作業が困難な場合があり、洗濯物を容易に留めることができるとは言い難い問題があった。【０００６】  本発明は以上の点を考慮してなされたもので、格段と容易に且つ確実に対象物を留めることができる留め具を提案しようとするものである。
【課題を解決するための手段】
【０００７】  かかる課題を解決するため本発明においては、留め具において、両先端部分が互いに近接するように両先端部分を内側方向に付勢する付勢部と、付勢部の一端部分から内側方向に膨らむように湾曲してなる内方向湾曲部と、付勢部の他端部分に設けられ、付勢部によって内側方向に付勢された内方向湾曲部が入り込む空間を形成する空間形成部とを設けるようにした。【０００８】  この結果この留め具では、ユーザは内方向湾曲部の内側に指を掛けるようにして留め具を持ち、空間形成部の内側を対象物に当てるようにし、留め具を持っている手の重みを利用して留め具を下方向に引くと、対象物は内方向湾曲部の湾曲に沿って内方向湾曲部と空間形成部との間を通って付勢部の内側に滑り込むようにして入り込む。さらに、内方向湾曲部を空間形成部の空間に戻すような付勢力が付勢部によってかけられるので、対象物を留め具の内側に確実に挟み込むことができる。
【発明の効果】
【０００９】  本発明によれば、留め具を持っている手の重みを利用して留め具を下方向に引くと、対象物は内方向湾曲部の湾曲に沿って内方向湾曲部と空間形成部との間を通って付勢部の内側に滑り込むようにして入り込む。さらに、内方向湾曲部を空間形成部の空間に戻すような付勢力が付勢部によってかけられるので、対象物を留め具の内側に確実に挟み込むことができる。この結果、格段と容易に且つ確実に対象物を留めることができる留め具を実現することができる。
【発明を実施するための最良の形態】
【００１０】  以下図面について、本発明の一実施の形態を詳述する。【００１１】（１）洗濯物留め具の構成
図１及び図２において、１は全体として洗濯物留め具を示す。図１の正面構成図及び図２の側面構成図に示すように、この洗濯物留め具１は、例えば、断面が略円形でなる棒状金属部材の略中心を折り曲げて形成しその両先端部分２Ａ、２Ｂが互いに近接するように両先端部分２Ａ、２Ｂを内側方向に付勢する付勢部２と、この付勢部２の一端部分２Ａから内側方向に膨らむように湾曲した後その下端部３Ａからさらに外側方向に膨らむように湾曲させて棒状金属部材を略円環に形成することにより内外方向に湾曲してなる内外方向環状部３と、この付勢部２の他端部分２Ｂから前方向に膨らむように湾曲した後その下端部４Ａからさらに後方向に膨らむように湾曲させて棒状金属部材を内外方向環状部３よりも大きい略円環に形成することにより前後方向に湾曲してなる前後方向環状部４とを有する。【００１２】  このように前後方向環状部４は、棒状金属部材の略中心を折り曲げて形成した付勢部２の他端部分２Ｂから前後方向に湾曲し、内外方向環状部３よりも大きい略円環に形成されている。従って、付勢部２がその両先端部分２Ａ、２Ｂを内側方向に付勢することにより、棒状金属部材の略中心を折り曲げて形成した付勢部２の一端部分２Ａから内外方向に湾曲して形成された内外方向環状部３の左側湾曲部３Ｂが、前後方向環状部４の環内空間４Ｂに対してほぼ直交するように入り込む。【００１３】  以上の構成において、例えば図３に示すように、ユーザが内外方向環状部３の環の中に指を入れて洗濯物留め具１を持ち、内外方向環状部３よりも大きく形成された前後方向環状部４の内側をハンガー５に掛けられた洗濯物６に当てるようにし、洗濯物留め具１を持っている手の重みを利用して洗濯物留め具１を下方向に引くと、洗濯物６は内外方向環状部３の左側湾曲部３Ｂの湾曲に沿って内外方向環状部３と前後方向環状部４との間を通って付勢部２の内側に滑り込むようにして入り込む。そして、例えば図４に示すように、内外方向環状部３の左側湾曲部３Ｂを前後方向環状部４の環内空間４Ｂに戻すような付勢力が付勢部２によってかけられるので、洗濯物６を洗濯物留め具１の内側に確実に挟み込むことができ、かくして洗濯物６をハンガー５にしっかりと留めることができる。【００１４】  この結果、格段と容易に且つ確実に洗濯物６を留めることができる洗濯物留め具１を実現することができる。【００１５】  また本実施の形態の場合、断面が略円形でなる棒状金属部材の略中心を折り曲げると共に、その両先端部分２Ａ、２Ｂを略環状に折り曲げて内外方向環状部３と前後方向環状部４とを形成した。この結果、機械部分のない簡易な構成を実現することができる。【００１６】（２）他の実施の形態
なお上述の実施の形態においては、留め具１によって洗濯物６を留めるようにしたが、本発明はこれに限らず、留め具１によって紙を留め合わせたりする等、この他様々な対象物を留める際に適用することができる。【００１７】  また上述の実施の形態では、留め具１を復元力のある一本の棒状金属部材を折り曲げて形成したが、本発明はこれに限らず、プラスチックや樹脂などその他様々な材料を適用しても良い。また、棒状の部材に限らず、帯状などのその他様々な形状部材を適用することができる。【００１８】  さらに上述の実施の形態では、内外方向環状部３と前後方向環状部４とを略円環に形成したが、本発明はこれに限らず、内外方向環状部３と前後方向環状部４とを楕円にする等、この他様々な形状を適用することができる。例えば、図５（Ａ）に示すように、留め具１Ｘの内外方向環状部３Ｘの外側部分を平板状に形成して、指でつまむためのつまみ部３ＸＣを設けるようにしても良い。さらに、例えば図５（Ａ）に示すように、留め具１Ｘの前後方向環状部４Ｘを四角状の略環状に形成することによって、内外方向環状部３Ｘの左側湾曲部３ＸＢが入り込む環内空間４ＸＢを設けるようにしても良い。【００１９】  さらに上述の実施の形態では、内外方向環状部３と前後方向環状部４とを略環状に形成したが、本発明はこれに限らず、例えば図５（Ｂ）に示すような形状でなる留め具１Ｙとしても良い。【００２０】  この場合この留め具１Ｙは、その両先端部分２ＹＡ、２ＹＢが互いに近接するように両先端部分２ＹＡ、２ＹＢを内側方向に付勢する付勢部２Ｙと、この付勢部２Ｙの一端部分２ＹＡから内側方向に膨らむように湾曲してなる内方向湾曲部３Ｙと、この付勢部２Ｙの他端部分２ＹＢに設けられた略平板状部材であって付勢部２Ｙによって内側方向に付勢された内方向湾曲部３Ｙが入り込む空間（くぼみ）４ＹＡを形成する空間形成部４Ｙとを有する。【００２１】  この図５（Ｂ）の構成を用いた場合、ユーザは内方向湾曲部３Ｙの内側に指を掛けるようにして留め具１Ｙを持ち、略平板状に形成された空間形成部４Ｙの内側を対象物（例えば、洗濯物）に当てるようにし、留め具１Ｙを持っている手の重みを利用して留め具１Ｙを下方向に引く。これにより、対象物は内方向湾曲部３Ｙの湾曲に沿って内方向湾曲部３Ｙと空間形成部４Ｙとの間を通って付勢部２Ｙの内側に入り込む。そして、内方向湾曲部３Ｙを空間形成部４Ｙの空間４ＹＡに戻すような付勢力が付勢部２Ｙによってかけられるので、対象物を留め具１Ｙの内側に確実に挟み込むことができる。【００２２】  さらに図５（Ｃ）に示すような形状でなる留め具１Ｚとしても良い。【００２３】  この場合この留め具１Ｚは前後方向環状部４において、対象物（例えば、洗濯物）を挟み込む時スムーズに操作できるよう下部４ＺＡにむかうに従い外側に湾曲する。
【図面の簡単な説明】
【００２４】
【図１】  本実施の形態による洗濯物留め具の正面構成を示す略線図である。
【図２】  洗濯物留め具の側面構成を示す略線図である。
【図３】  対象物を洗濯物留め具で留める様子を示す略線図である。
【図４】  対象物を洗濯物留め具で留めた様子を示す略線図である。
【図５】  他の実施の形態を示す略線図である。
【符号の説明】
【００２５】  １……洗濯物留め具、２……付勢部、３……内外方向環状部、４……前後方向環状部。
【図１】
2007289607.tif 000003
【図２】
2007289607.tif 000004
【図３】
2007289607.tif 000005
【図４】
2007289607.tif 000006
【図５】
2007289607.tif 000007